(57)【要約】【課題】  画像伝送装置側のルータの機能に依らずに画像表示装置に画像伝送装置からの画像が送られ、ルータのＩＰアドレスが固定アドレスで無い場合でもダイナミックＤＮＳの機能を用いることなく画像表示装置に画像伝送装置からの画像が送られる警備システム及び警備システムの画像表示方法を提供することにある。【解決手段】  画像伝送装置が、受信装置に対して、受信装置側ルータのＩＰアドレスをもとに画像伝送装置ポート番号を送信し、次に、画像表示端末が、受信装置に対して、画像を確認したい画像伝送装置の画像送信機番号等を送信し、次に、受信装置が、画像表示端末から送られてきた画像送信機番号の画像伝送装置に対して、カメラ情報等を送信し、画像伝送装置が、受信装置から情報を受け取った場合に、カメラ情報で指定されたカメラの画像データを、画像表示端末に送信することを特徴とする。【選択図】図１
2011071594.tif 000002
【特許請求の範囲】
【請求項１】
警備対象施設とセンターとの間で、インターネット回線を介して、画像監視や画像警備を行う警備システムにおいて、
該警備対象施設に、少なくとも１つのカメラが接続された画像伝送装置と、該画像伝送装置から出力された画像データを該インターネット回線を介して該センターに送る画像送信側ルータとを備え、
該センターに、該インターネット回線を介して該警備対象施設からの警備情報を授受する受信装置側ルータと、該受信装置側ルータを介して該警備対象施設からの該警備情報を受け取る受信装置と、該インターネット回線を介して該警備対象施設からの該画像データを受信する画像表示側ルータと、該画像表示側ルータを介して該警備対象施設からの画像を表示する画像表示端末とを備え、
該画像伝送装置には、該受信装置側ルータのＩＰアドレス及び該画像伝送装置に付与された画像送信機番号が予め設定され、
該受信装置には、該画像表示側ルータのＩＰアドレス及び該画像表示端末に付与された該画像表示側ルータのポート番号が予め設定され、
該画像伝送装置が、該受信装置に対して、該受信装置側ルータのＩＰアドレスをもとに該画像伝送装置ポート番号を送信する画像伝送元情報送信手段を有し、
該画像表示端末が、該受信装置に対して、画像を確認したい該画像伝送装置の該画像送信機番号及び画像を確認したい該カメラのカメラ情報を送信するカメラ情報送信手段を有し、
該受信装置が、該画像表示端末の該カメラ情報送信手段から送られてきた該画像送信機番号の該画像伝送装置に対して、該カメラ情報、該画像表示側ルータのＩＰアドレス及び該画像表示側ルータのポート番号を送信する画像表示端末情報送信手段を有し、
該画像伝送装置が、該受信装置の画像表示端末情報送信手段から情報を受け取った場合に、該カメラ情報で指定された該カメラの画像データを、該画像表示側ルータのＩＰアドレス及び該画像表示側ルータのポート番号をもとに、該画像表示端末に送信することを特徴とする警備システム。
【請求項２】
警備対象施設とセンターとの間で、インターネット回線を介して、画像監視や画像警備を行う警備システムの画像表示方法において、
該警備対象施設に、少なくとも１つのカメラが接続された画像伝送装置と、該画像伝送装置から出力された画像データを該インターネット回線を介して該センターに送る画像送信側ルータとを設け、
該センターに、該インターネット回線を介して該警備対象施設からの警備情報を授受する受信装置側ルータと、該受信装置側ルータを介して該警備対象施設からの該警備情報を受け取る受信装置と、該インターネット回線を介して該警備対象施設からの該画像データを受信する画像表示側ルータと、該画像表示側ルータを介して該警備対象施設からの画像を表示する画像表示端末とを設け、
該画像伝送装置に、該受信装置側ルータのＩＰアドレス及び該画像伝送装置に付与された画像送信機番号を設定し、
該受信装置に、該画像表示側ルータのＩＰアドレス及び該画像表示端末に付与された該画像表示側ルータのポート番号を設定し、
該画像伝送装置が、該受信装置に対して、該受信装置側ルータのＩＰアドレスをもとに該画像伝送装置ポート番号を送信し、
次に、該画像表示端末が、該受信装置に対して、画像を確認したい該画像伝送装置の該画像送信機番号及び画像を確認したい該カメラのカメラ情報を送信し、
次に、該受信装置が、該画像表示端末から送られてきた該画像送信機番号の該画像伝送装置に対して、該カメラ情報、該画像表示側ルータのＩＰアドレス及び該画像表示側ルータのポート番号を送信し、
該画像伝送装置が、該受信装置から情報を受け取った場合に、該カメラ情報で指定された該カメラの画像データを、該画像表示側ルータのＩＰアドレス及び該画像表示側ルータのポート番号をもとに、該画像表示端末に送信することを特徴とする警備システムの画像表示方法。
【請求項３】
警備対象施設とセンターと警備対象施設外との間で、インターネット回線を介して、画像監視や画像警備を行う警備システムにおいて、
該警備対象施設に、少なくとも１つのカメラが接続された画像伝送装置と、該画像伝送装置から出力された画像データを該インターネット回線を介して該センターに送る画像送信側ルータとを備え、
該センター外に、該インターネット回線を介して該警備対象施設からの警備情報を授受する受信装置側ルータと、該受信装置側ルータを介して該警備対象施設からの該警備情報を受け取る受信装置と、該受信装置側ルータへの接続を認証する認証装置とを備え、
該警備対象施設外に、該インターネット回線を介して該警備対象施設からの該画像データを受信する画像表示側ルータと、該画像表示側ルータを介して該警備対象施設からの画像を表示する画像表示端末とを備え、
該画像表示端末には、該受信装置側ルータのＩＰアドレス及び該画像表示側ルータのポート番号が予め設定され、
該受信装置には、該画像送信側ルータのＩＰアドレスが予め設定され、
該画像伝送装置には、該画像伝送装置に付与された画像送信機番号が予め設定され、
該画像表示端末が、該認証装置に対して、該受信装置への接続の認証を依頼する認証依頼手段を有し、
又、該画像表示端末が、該認証装置の認証を受けた後に、該受信装置に対して、画像を確認したい該画像伝送装置の該画像送信機番号、画像を確認したい該カメラのカメラ情報及び該画像表示側ルータのポート番号を送信するカメラ情報送信手段を有し、
該受信装置が、該画像表示端末の該カメラ情報送信手段から送られてきた該画像送信機番号の該画像伝送装置に対して、該カメラ情報、該画像表示側ルータのＩＰアドレス及び該画像表示側ルータのポート番号を送信する画像表示端末情報送信手段を有し、
該画像伝送装置が、該受信装置の画像表示端末情報送信手段から情報を受け取った場合に、該カメラ情報で指定された該カメラの画像データを、該画像表示側ルータのＩＰアドレス及び該画像表示側ルータのポート番号をもとに、該画像表示端末に送信することを特徴とする警備システム。
【請求項４】
警備対象施設とセンターと警備対象施設外との間で、インターネット回線を介して、画像監視や画像警備を行う警備システムの画像表示方法において、
該警備対象施設に、少なくとも１つのカメラが接続された画像伝送装置と、該画像伝送装置から出力された画像データを該インターネット回線を介して該センターに送る画像送信側ルータとを設け、
該センター外に、該インターネット回線を介して該警備対象施設からの警備情報を授受する受信装置側ルータと、該受信装置側ルータを介して該警備対象施設からの該警備情報を受け取る受信装置と、該受信装置側ルータへの接続を認証する認証装置とを設け、
該警備対象施設外に、該インターネット回線を介して該警備対象施設からの該画像データを受信する画像表示側ルータと、該画像表示側ルータを介して該警備対象施設からの画像を表示する画像表示端末とを設け、
該画像表示端末に、該受信装置側ルータのＩＰアドレス及び該画像表示側ルータのポート番号を設定し、
該受信装置に、該画像送信側ルータのＩＰアドレスを設定し、
該画像伝送装置に、該画像伝送装置に付与された画像送信機番号を設定し、
該画像表示端末が、該認証装置に対して、該受信装置への接続の認証を依頼し、
該画像表示端末が、該認証装置の認証を受けた後に、該受信装置に対して、画像を確認したい該画像伝送装置の該画像送信機番号、画像を確認したい該カメラのカメラ情報及び該画像表示側ルータのポート番号を送信し、
次に、該受信装置が、該画像表示端末から送られてきた該画像送信機番号の該画像伝送装置に対して、該カメラ情報、該画像表示側ルータのＩＰアドレス及び該画像表示側ルータのポート番号を送信し、
該画像伝送装置が、該受信装置から情報を受け取った場合に、該カメラ情報で指定された該カメラの画像データを、該画像表示側ルータのＩＰアドレス及び該画像表示側ルータのポート番号をもとに、該画像表示端末に送信することを特徴とする警備システムの画像表示方法。
【発明の詳細な説明】
【技術分野】
【０００１】
本発明は、警備対象施設とセンターとの間で、インターネット回線を介して、画像監視や画像警備を行う警備システム及び警備システムの画像表示方法に関する。
【背景技術】
【０００２】
従来より、一般の家庭や店舗、工場等の警備対象施設側に、その警備対象施設の状況を画像で監視・警備するカメラ及び画像伝送装置を設け、インターネット回線等の電気通信回線を用いて、その画像を警備監視側のセンターに送る警備システム（例えば、特許文献１）が運用されている。
【０００３】
そして、インターネット回線を通信手段として使用する場合、警備対象施設側にブロードバンドルータを設けて既設のインターネット回線と接続し、そのブロードバンドルータに画像伝送装置を接続することにより、画像の伝送を可能としている場合が多い。ここで、ブローバンドルータにインターネット回線上の固定ＩＰアドレスが付与されていない場合には、ダイナミックＤＮＳの機能にて、ドメイン名からＩＰアドレスを解決することにより目的とするブロードバンドルータへの接続を解決している。
【０００４】
また、ブロードバンドルータは、そのポートフォワーディング機能により、ブロードバンドルータの特定のポートへ到着したデータを配下の端末へ転送し、外部のインターネット回線との接続を実現している。
【先行技術文献】
【特許文献】
【０００５】
【特許文献１】特開２００６−２７２７０１号公報
【発明の概要】
【発明が解決しようとする課題】
【０００６】
しかしながら、警備システムを構築するにあたって、警備対象施設に既に引き込まれたインターネット回線を用いる場合が多く、ブロードバンドルータのポートフォワーディング機能を用いるような場合、ブロードバンドルータの機種により機能の有無や設定方法が異なり、警備システム構築の作業が繁雑である。また、既設のブロードバンドルータのユーザ名やパスワードがわからず、設定自体をすることができないケースがある。
【０００７】
本発明は、このような事情に鑑みてなされたもので、画像伝送装置側のルータの機能に依らずに画像表示装置に画像伝送装置からの画像が送られ、ルータのＩＰアドレスが固定アドレスで無い場合でもダイナミックＤＮＳの機能を用いることなく画像表示装置に画像伝送装置からの画像が送られる警備システム及び警備システムの画像表示方法を提供することにある。
【課題を解決するための手段】
【０００８】
請求項１記載の警備システムは、警備対象施設に、少なくとも１つのカメラが接続された画像伝送装置と、画像伝送装置から出力された画像データをインターネット回線を介してセンターに送る画像送信側ルータとを備え、センターに、インターネット回線を介して警備対象施設からの警備情報を授受する受信装置側ルータと、受信装置側ルータを介して警備対象施設からの警備情報を受け取る受信装置と、インターネット回線を介して警備対象施設からの画像データを受信する画像表示側ルータと、画像表示側ルータを介して警備対象施設からの画像を表示する画像表示端末とを備え、画像伝送装置には、受信装置側ルータのＩＰアドレス及び画像伝送装置に付与された画像送信機番号が予め設定され、受信装置には、画像表示側ルータのＩＰアドレス及び画像表示端末に付与された画像表示側ルータのポート番号が予め設定され、画像伝送装置が、受信装置に対して、受信装置側ルータのＩＰアドレスをもとに画像伝送装置ポート番号を送信する画像伝送元情報送信手段を有し、画像表示端末が、受信装置に対して、画像を確認したい画像伝送装置の画像送信機番号及び画像を確認したいカメラのカメラ情報を送信するカメラ情報送信手段を有し、受信装置が、画像表示端末のカメラ情報送信手段から送られてきた画像送信機番号の画像伝送装置に対して、カメラ情報、画像表示側ルータのＩＰアドレス及び画像表示側ルータのポート番号を送信する画像表示端末情報送信手段を有し、画像伝送装置が、受信装置の画像表示端末情報送信手段から情報を受け取った場合に、カメラ情報で指定されたカメラの画像データを、画像表示側ルータのＩＰアドレス及び画像表示側ルータのポート番号をもとに、画像表示端末に送信することを特徴とする。
【０００９】
請求項２記載の警備システムの画像表示方法は、警備対象施設に、少なくとも１つのカメラが接続された画像伝送装置と、画像伝送装置から出力された画像データをインターネット回線を介してセンターに送る画像送信側ルータとを設け、センターに、インターネット回線を介して警備対象施設からの警備情報を授受する受信装置側ルータと、受信装置側ルータを介して警備対象施設からの警備情報を受け取る受信装置と、インターネット回線を介して警備対象施設からの画像データを受信する画像表示側ルータと、画像表示側ルータを介して警備対象施設からの画像を表示する画像表示端末とを設け、画像伝送装置に、受信装置側ルータのＩＰアドレス及び画像伝送装置に付与された画像送信機番号を設定し、受信装置に、画像表示側ルータのＩＰアドレス及び画像表示端末に付与された画像表示側ルータのポート番号を設定し、画像伝送装置が、受信装置に対して、受信装置側ルータのＩＰアドレスをもとに該画像伝送装置ポート番号を送信し、次に、画像表示端末が、受信装置に対して、画像を確認したい画像伝送装置の画像送信機番号及び画像を確認したいカメラのカメラ情報を送信し、次に、受信装置が、画像表示端末から送られてきた画像送信機番号の画像伝送装置に対して、カメラ情報、画像表示側ルータのＩＰアドレス及び画像表示側ルータのポート番号を送信し、画像伝送装置が、受信装置から情報を受け取った場合に、カメラ情報で指定されたカメラの画像データを、画像表示側ルータのＩＰアドレス及び画像表示側ルータのポート番号をもとに、画像表示端末に送信することを特徴とする。
【００１０】
請求項３記載の警備システムは、警備対象施設に、少なくとも１つのカメラが接続された画像伝送装置と、画像伝送装置から出力された画像データをインターネット回線を介してセンターに送る画像送信側ルータとを備え、センター外に、インターネット回線を介して警備対象施設からの警備情報を授受する受信装置側ルータと、受信装置側ルータを介して警備対象施設からの警備情報を受け取る受信装置と、受信装置側ルータへの接続を認証する認証装置とを備え、警備対象施設外に、インターネット回線を介して警備対象施設からの画像データを受信する画像表示側ルータと、画像表示側ルータを介して警備対象施設からの画像を表示する画像表示端末とを備え、画像表示端末には、受信装置側ルータのＩＰアドレス及び画像表示側ルータのポート番号が予め設定され、受信装置には、画像送信側ルータのＩＰアドレスが予め設定され、画像伝送装置には、画像伝送装置に付与された画像送信機番号が予め設定され、画像表示端末が、認証装置に対して、受信装置への接続の認証を依頼する認証依頼手段を有し、又、画像表示端末が、認証装置の認証を受けた後に、受信装置に対して、画像を確認したい画像伝送装置の画像送信機番号、画像を確認したいカメラのカメラ情報及び画像表示側ルータのポート番号を送信するカメラ情報送信手段を有し、受信装置が、画像表示端末のカメラ情報送信手段から送られてきた画像送信機番号の画像伝送装置に対して、カメラ情報、画像表示側ルータのＩＰアドレス及び画像表示側ルータのポート番号を送信する画像表示端末情報送信手段を有し、画像伝送装置が、受信装置の画像表示端末情報送信手段から情報を受け取った場合に、カメラ情報で指定されたカメラの画像データを、画像表示側ルータのＩＰアドレス及び画像表示側ルータのポート番号をもとに、画像表示端末に送信することを特徴とする。
【００１１】
請求項４記載の警備システムの画像表示方法は、警備対象施設に、少なくとも１つのカメラが接続された画像伝送装置と、画像伝送装置から出力された画像データをインターネット回線を介してセンターに送る画像送信側ルータとを設け、センター外に、インターネット回線を介して警備対象施設からの警備情報を授受する受信装置側ルータと、受信装置側ルータを介して警備対象施設からの警備情報を受け取る受信装置と、受信装置側ルータへの接続を認証する認証装置とを設け、警備対象施設外に、インターネット回線を介して警備対象施設からの画像データを受信する画像表示側ルータと、画像表示側ルータを介して警備対象施設からの画像を表示する画像表示端末とを設け、画像表示端末に、受信装置側ルータのＩＰアドレス及び画像表示側ルータのポート番号を設定し、受信装置に、画像送信側ルータのＩＰアドレスを設定し、画像伝送装置に、画像伝送装置に付与された画像送信機番号を設定し、画像表示端末が、認証装置に対して、受信装置への接続の認証を依頼し、画像表示端末が、認証装置の認証を受けた後に、受信装置に対して、画像を確認したい画像伝送装置の画像送信機番号、画像を確認したいカメラのカメラ情報及び画像表示側ルータのポート番号を送信し、次に、受信装置が、画像表示端末から送られてきた画像送信機番号の画像伝送装置に対して、カメラ情報、画像表示側ルータのＩＰアドレス及び画像表示側ルータのポート番号を送信し、画像伝送装置が、受信装置から情報を受け取った場合に、カメラ情報で指定されたカメラの画像データを、画像表示側ルータのＩＰアドレス及び画像表示側ルータのポート番号をもとに、画像表示端末に送信することを特徴とする。
【発明の効果】
【００１２】
請求項１及び請求項２の発明によれば、各ルータのＩＰアドレスやポート番号を、適宜情報通知しながら接続を確立していることから、画像伝送装置側のルータの機能に依らずに画像表示装置に画像伝送装置からの画像が送られ、ルータのＩＰアドレスが固定アドレスで無い場合でもダイナミックＤＮＳの機能を用いることなく画像表示装置に画像伝送装置からの画像が送られ、画像表示装置で表示可能である。
【００１３】
請求項３及び請求項４の発明によれば、請求項１及び請求項２の効果に加え、従来、画像表示端末側に設けていた認証装置をセンター側に設ける仕組みとしたことから、画像表示端末に認証のための機能を付加する必要がなく、画像表示端末の負担を軽減することができる。
【図面の簡単な説明】
【００１４】
【図１】本発明に係る第１の実施例に係る警備システムの一例を示す構成図である。
【図２】同警備システムの動作のタイミングチャートを示す説明図である。
【図３】本発明に係る第２の実施例に係る警備システムの一例を示す構成図である。
【図４】同警備システムの動作のタイミングチャートを示す説明図である。
【発明を実施するための形態】
【００１５】
以下、本発明の形態について図面を参照しながら具体的に説明する。本発明の形態における警備システムは、警備対象施設とセンターとの間で、インターネット回線を介して、画像監視や画像警備を行うものである。
【実施例１】
【００１６】
図１は、本発明に係る第１の実施例に係る警備システムの一例を示す構成図である。図２は、同警備システムの動作のタイミングチャートを示す説明図である。図１及び図２における警備システム１の警備対象施設である警備宅５内には、警備宅５内の様子を撮影するカメラＡ１２、カメラＢ１３〜カメラｎ１４、カメラＡ１２、カメラＢ１３〜カメラｎ１４が接続され撮影された画像を処理し送信可能にする画像伝送装置１０と、インターネット回線８と画像伝送装置１０とを接続する画像伝送側ルータであるルータＣ１６とが設けられている。
【００１７】
また、警備システム１のセンターである警備会社６内には、警備宅５内からの警備情報等を受け取る受信装置２０と、インターネット回線８と受信装置２０とを接続する受信装置側ルータであるルータＡ２２と、警備宅５内の画像を表示する画像表示端末である画像表示ＰＣ（パーソナルコンピュータ）２６と、インターネット回線８と画像表示ＰＣ２６とを接続する画像表示側ルータであるルータＢ２８とが設けられている。尚、画像表示ＰＣ２６は画像表示端末の一例であり、パーソナルコンピュータの他、ルータＢ２８と接続して画像を表示できる端末であればよい。
【００１８】
そして、画像伝送装置１０には、ルータＡ２２のＩＰアドレス及び画像伝送装置１０に付与された画像送信機番号が予め設定されている。また、受信装置２０には、ルータＢ２８のＩＰアドレス及び画像表示ＰＣ２６に付与されたルータＢ２８のポート番号が予め設定されている。
【００１９】
次に、警備システム１で画像を送る動作を説明する。まず、画像伝送装置１０が、ルータＣ１６及びインターネット回線８を介して、受信装置２０に対して、ルータＡ２２のＩＰアドレスをもとに画像伝送装置ポート番号を送信する（画像伝送元情報送信手段）。次に、画像表示ＰＣ２６が、ルータＢ２８及びインターネット回線８を介して、受信装置２０に対して、画像を確認したい画像伝送装置１０の画像送信機番号及び画像を確認したいカメラＡ１２、カメラＢ１３〜カメラｎ１４のカメラ情報を送信する（カメラ情報送信手段）。
【００２０】
次に、受信装置２０が、画像表示ＰＣ２６から送られてきた画像送信機番号の画像伝送装置１０に対して、カメラ情報、ルータＢ２８のＩＰアドレス及びルータＢ２８のポート番号を送信する（画像表示端末情報送信手段）。
【００２１】
そして、画像伝送装置１０が、受信装置２０から情報を受け取った場合に、カメラ情報で指定されたカメラＡ１２、カメラＢ１３〜カメラｎ１４の画像データを、ルータＣ１６及びインターネット回線８を介して、ルータＢ２８のＩＰアドレス及びルータＢ２８のポート番号をもとに、画像表示ＰＣ２６に送信する。これにより、画像表示ＰＣ２６側で求めたカメラＡ１２、カメラＢ１３〜カメラｎ１４の画像が、画像表示ＰＣ２６に表示されることになる。
【００２２】
以上のように、本実施例１の警備システム１によれば、各ルータのＩＰアドレスやポート番号を、適宜情報通知しながら接続を確立していることから、画像伝送装置側のルータの機能に依らずに画像表示装置に画像伝送装置からの画像が送られ、ルータのＩＰアドレスが固定アドレスで無い場合でもダイナミックＤＮＳの機能を用いることなく画像表示装置に画像伝送装置からの画像が送られ、画像表示装置で表示可能である。
【実施例２】
【００２３】
図３は、本発明に係る第２の実施例に係る警備システムの一例を示す構成図である。図４は、同警備システムの動作のタイミングチャートを示す説明図である。図３及び図４における警備システム２の警備対象施設である警備宅５内には、警備宅５内の様子を撮影するカメラＡ１２、カメラＢ１３〜カメラｎ１４、カメラＡ１２、カメラＢ１３〜カメラｎ１４が接続され撮影された画像を処理し送信可能にする画像伝送装置１０と、インターネット回線８と画像伝送装置１０とを接続する画像伝送側ルータであるルータＣ１６とが設けられている。
【００２４】
また、警備システム２のセンターである警備会社６内には、警備宅５内からの警備情報等を受け取る受信装置２０と、インターネット回線８と受信装置２０とを接続する受信装置側ルータであるルータＡ２２と、ルータＡ２２のアクセスを認証する認証装置２４とが設けられている。さらに、警備会社外部７には、警備宅５内の画像を表示する画像表示端末である画像表示ＰＣ（パーソナルコンピュータ）３０と、インターネット回線８と画像表示ＰＣ３０とを接続する画像表示側ルータであるルータＤ３２とが設けられている。尚、画像表示ＰＣ３０は画像表示端末の一例であり、パーソナルコンピュータの他、ルータＤ３２と接続して画像を表示できる端末であればよい。
【００２５】
そして、画像表示ＰＣ３０には、ルータＡ２２のＩＰアドレス及びルータＤ３２のポート番号が予め設定されている。また、受信装置２０には、ルータＣ１６のＩＰアドレスが予め設定され、画像伝送装置１０には、画像伝送装置１０に付与された画像送信機番号が予め設定されている。
【００２６】
次に、警備システム２で画像を送る動作を説明する。まず、画像表示ＰＣ３０が、ルータＤ３２及びインターネット回線８を介して、認証装置２４に対して、受信装置２０への接続の認証を依頼する（認証依頼手段）。それに対して認証装置２４は、受信装置２０に対してのアクセスを許された画像表示ＰＣであるか否かをＩＤやパスワード等の情報を用いて確認する。そして、認証装置２４の認証を受けた後に、画像表示ＰＣ３０が、ルータＤ３２及びインターネット回線８を介して、受信装置２０に対して、画像を確認したい画像伝送装置１０の画像送信機番号、画像を確認したいカメラＡ１２、カメラＢ１３〜カメラｎ１４のカメラ情報及びルータＤ３２のポート番号を送信する（カメラ情報送信手段）。
【００２７】
次に、受信装置２０が、画像表示ＰＣ３０から送られてきた画像送信機番号の画像伝送装置１０に対して、カメラ情報、ルータＤ３２のＩＰアドレス及びルータＤ３２のポート番号を送信する（画像表示端末情報送信手段）。
【００２８】
そして、画像伝送装置１０が、受信装置２０から情報を受け取った場合に、カメラ情報で指定されたカメラＡ１２、カメラＢ１３〜カメラｎ１４の画像データを、ルータＣ１６及びインターネット回線８を介して、ルータＤ３２のＩＰアドレス及びルータＤ３２のポート番号をもとに、画像表示ＰＣ３０に送信する。これにより、画像表示ＰＣ３０側で求めたカメラＡ１２、カメラＢ１３〜カメラｎ１４の画像が、画像表示ＰＣ３０に表示されることになる。
【００２９】
以上のように、本実施例２の警備システム２によれば、実施例１の効果に加え、従来、画像表示端末側に設けていた認証装置をセンター側に設ける仕組みとしたことから、画像表示端末に認証のための機能を付加する必要がなく、画像表示端末の負担を軽減することができる。
【００３０】
尚、本実施例２で、画像表示装置としてパーソナルコンピュータで説明を行ったが、これに限られるものではなく、例えば携帯電話等の移動通信機器であってもよい。
【産業上の利用可能性】
【００３１】
以上のように、本発明によれば、画像伝送装置側のルータの機能に依らずに画像表示装置に画像伝送装置からの画像が送られ、ルータのＩＰアドレスが固定アドレスで無い場合でもダイナミックＤＮＳの機能を用いることなく画像表示装置に画像伝送装置からの画像が送られる警備システム及び警備システムの画像表示方法を提供することができる。
【符号の説明】
【００３２】
１・・・・警備システム
２・・・・警備システム
５・・・・警備宅
６・・・・警備会社
７・・・・警備会社外部
８・・・・インターネット回線
１０・・・画像伝送装置
１２・・・カメラＡ
１３・・・カメラＢ
１４・・・カメラｎ
１６・・・ルータＣ
２０・・・受信装置
２２・・・ルータＡ
２４・・・認証装置
２６・・・画像表示ＰＣ
２８・・・ルータＢ
３０・・・画像表示ＰＣ
３２・・・ルータＤ
【図１】
2011071594.tif 000003
【図２】
2011071594.tif 000004
【図３】
2011071594.tif 000005
【図４】
2011071594.tif 000006